(57)【要約】【課題】ユーザを識別するマルチビューディスプレイシステム及びその操作方法を提供する。【解決手段】マルチビューディスプレイシステム１００は、マルチビュータッチスクリーン１０、シートセンサ２０、センサ３０及びコントローラ４０を備える。マルチビュータッチスクリーン１０には、第１のユーザ及び第２のユーザの視野角にそれぞれ対応した異なるビデオコンテンツが同時に表示される。マルチビュータッチスクリーン１０にユーザがタッチするとタッチイベントが発生する。シートセンサ２０は、シートに第２のユーザが座っているか否かを検知する。センサ３０は、マルチビュータッチスクリーン１０の第１のユーザ又は第２のユーザの接近信号を検知する。コントローラ４０は、マルチビュータッチスクリーン１０、シートセンサ２０及びセンサ３０に接続される。【選択図】図１
2014137813.tif 000002
【特許請求の範囲】
【請求項１】
マルチビュータッチスクリーン、シートセンサ、センサ及びコントローラを備えたマルチビューディスプレイシステムであって、
前記マルチビュータッチスクリーンには、第１のユーザ及び第２のユーザの視野角にそれぞれ対応した異なるビデオコンテンツが同時に表示され、前記マルチビュータッチスクリーンにユーザがタッチするとタッチイベントが発生し、
前記シートセンサは、シートに第２のユーザが座っているか否かを検知し、
前記センサは、前記マルチビュータッチスクリーンの第１のユーザ又は第２のユーザの接近信号を検知し、
前記コントローラは、前記マルチビュータッチスクリーン、前記シートセンサ及び前記センサに接続され、判定処理を実施し、前記センサが伝送した接近信号が第１のユーザ又は第２のユーザによるものかを識別し、
シートに第２のユーザが座っていないときには判定処理を実施せず、第１のユーザをデフォルトユーザに設定し、シートに第２のユーザが座っているときには判定処理を実施し、前記センサの反対側に位置するユーザをデフォルトユーザに設定することを特徴とするマルチビューディスプレイシステム。
【請求項２】
前記センサは、レーザセンサ、可変コンデンサ、超音波センサ、光センサ又は赤外線センサであることを特徴とする請求項１に記載のマルチビューディスプレイシステム。
【請求項３】
前記センサは、前記マルチビュータッチスクリーンの第２のユーザの接近信号を検知することを特徴とする請求項１又は２に記載のマルチビューディスプレイシステム。
【請求項４】
前記マルチビュータッチスクリーンは、静電容量式タッチパネル(Capacitive Touch Panel)又は抵抗式タッチパネル(Resistive Touch Panel)であることを特徴とする請求項１から３のいずれかに記載のマルチビューディスプレイシステム。
【請求項５】
自動車のインストルメントパネル内部のインフォテインメントシステムに配設されることを特徴とする請求項１から４のいずれかに記載のマルチビューディスプレイシステム。
【請求項６】
前記シートセンサは、シートベルトが装着されているか否かを検知することを特徴とする請求項１から５のいずれかに記載のマルチビューディスプレイシステム。
【請求項７】
第１のユーザ及び第２のユーザにそれぞれ対応する２つのビデオ信号を生成するビデオミキシングユニットをさらに備えることを特徴とする請求項１から６のいずれかに記載のマルチビューディスプレイシステム。
【請求項８】
マルチビュータッチスクリーンと、前記マルチビュータッチスクリーンに結合されたコントローラと、シートセンサと、前記マルチビュータッチスクリーンの第１のユーザ又は第２のユーザの接近信号を検知するセンサと、を備えたマルチビューディスプレイシステムの操作方法であって、
前記シートセンサが、シートに第２のユーザが座っているか否かを検知し、シートに第２のユーザが座っていない場合、第１のユーザをデフォルトユーザに設定し、シートに第２のユーザが座っている場合、判定処理を実施し、前記センサの反対側のユーザをデフォルトユーザに設定するステップと、
前記センサにより前記マルチビュータッチスクリーンのユーザの接近信号を検知し、タッチイベントが第１のユーザ又は第２のユーザによるものかを検知するステップと、
前記タッチイベントをコマンドへ変換するステップと、
前記マルチビューディスプレイシステムが前記コマンドに反応するステップと、を含むことを特徴とするマルチビューディスプレイシステムの操作方法。
【請求項９】
前記センサは、レーザセンサ、可変コンデンサ、超音波センサ、光センサ又は赤外線センサであることを特徴とする請求項８に記載のマルチビューディスプレイシステムの操作方法。
【請求項１０】
前記マルチビュータッチスクリーンは、静電容量式タッチパネル(Capacitive Touch Panel)又は抵抗式タッチパネル(Resistive Touch Panel)であることを特徴とする請求項８又は９に記載のマルチビューディスプレイシステムの操作方法。
【発明の詳細な説明】
【技術分野】
【０００１】
本発明は、マルチビューディスプレイに関し、特に、タッチイベントによりユーザを識別することができるマルチビューディスプレイシステム及びその操作方法に関する。
【背景技術】
【０００２】
マルチビューディスプレイシステムは、１つのスクリーン上に複数の異なる映像コンテンツを表示することができるため、この技術を採用する自動車メーカが徐々に増えてきている。この機能により、例えばドライバーがナビゲーション機能を使用している最中でも助手席に座っている乗客は映画を見ることができる。また、非機械式制御技術の発展に伴い、タッチ制御技術を例にとると、ユーザがスクリーンにタッチしてタッチイベントが発生し、マルチビューディスプレイシステムを制御することができるが、これにより余計な機械式制御構造を省略してコストを減らすことができる。しかし、タッチコントロール技術をマルチビューディスプレイシステムに用いた場合、タッチしたユーザを明確に識別することが困難であるという問題が生じる虞があり、一般にマルチビューディスプレイシステムが１台のタッチスクリーンしか備えておらず、２人のユーザが同時に使用する場合、発生したタッチイベントがどちらのユーザによるものなのかを判断することはできなかった。そのため、マルチビューディスプレイシステムを操作している者がどちらのユーザなのかを識別することができるマルチビューディスプレイシステムが求められていた。
【０００３】
従来、このような要求に応えるものとして、各視線毎に重ならないように押しボタン又はメニューがマルチビュータッチスクリーンの周囲に設置する方式が開示されている（例えば、特許文献１及び特許文献２）。しかしこの方式は、制限されたレイアウト及び設計により実現されている上、取り付けるために大きな面積が必要であった。もう一つの方式としては、相互キャパシタンスを発生させてその差異のバランスをとる信号源に、タッチオブジェクトを容量結合させる容量結合方式がある。しかし、自動車産業は現在、車内の電磁波による悪影響を減らすことに力を注いでいるためこの方式は理想的でなかった。 その他、システムと連動するユーザの手の動きをカメラにより識別する方式の場合、余計なハードウェアコストが必要である上、異なる照度環境下において検知に失敗する確率が高いという欠点があったため、これも理想的でなかった。
【０００４】
特許文献３及び特許文献４では、光センサによりユーザを検知する方式が開示されており、照度レベルなどの外的要因を考慮する必要がなかったが、タッチスクリーンの周囲に多数のセンサを設置し、システムに対してどのユーザがタッチイベントを行っているかを検知する必要があったため、経済性が低かった。
【先行技術文献】
【特許文献】
【０００５】
【特許文献１】特開平０６−１８６５２６号公報
【特許文献２】特開平０７−１０３７７８号公報
【特許文献３】米国特許出願公開第２０１１／０３１００５０号明細書
【特許文献４】国際公開ＰＣＴ／２０１０／０３６２１７号パンフレット
【発明の概要】
【発明が解決しようとする課題】
【０００６】
そのため本発明の目的は、コストを減らしてマルチビューディスプレイシステムの価格競争力を高めるために、どのユーザのタッチイベントが発生したかを正確に知ることができるユーザ識別能力を有するマルチビューディスプレイシステム及びその操作方法を提供することにある。
【課題を解決するための手段】
【０００７】
上記課題を解決するために、本発明の第１の形態によれば、マルチビュータッチスクリーン、シートセンサ、センサ及びコントローラを備えたマルチビューディスプレイシステムであって、前記マルチビュータッチスクリーンには、第１のユーザ及び第２のユーザの視野角にそれぞれ対応した異なるビデオコンテンツが同時に表示され、前記マルチビュータッチスクリーンにユーザがタッチするとタッチイベントが発生し、前記シートセンサは、シートに第２のユーザが座っているか否かを検知し、前記センサは、前記マルチビュータッチスクリーンの第１のユーザ又は第２のユーザの接近信号を検知し、前記コントローラは、前記マルチビュータッチスクリーン、前記シートセンサ及び前記センサに接続され、判定処理を実施し、前記センサが伝送した接近信号が第１のユーザ又は第２のユーザによるものかを識別し、シートに第２のユーザが座っていないときには判定処理を実施せず、第１のユーザをデフォルトユーザに設定し、シートに第２のユーザが座っているときには判定処理を実施し、前記センサの反対側に位置するユーザをデフォルトユーザに設定することを特徴とするマルチビューディスプレイシステムが提供される。
【０００８】
前記センサは、レーザセンサ、可変コンデンサ、超音波センサ、光センサ又は赤外線センサであることが好ましい。
【０００９】
前記センサは、前記マルチビュータッチスクリーンの第２のユーザの接近信号を検知することが好ましい。
【００１０】
前記マルチビュータッチスクリーンは、静電容量式タッチパネル(Capacitive Touch Panel)又は抵抗式タッチパネル(Resistive Touch Panel)であることが好ましい。
【００１１】
自動車のインストルメントパネル内部のインフォテインメントシステムに配設されることが好ましい。
【００１２】
前記シートセンサは、シートベルトが装着されているか否かを検知することが好ましい。
【００１３】
第１のユーザ及び第２のユーザにそれぞれ対応する２つのビデオ信号を生成するビデオミキシングユニットをさらに備えることが好ましい。
【００１４】
上記課題を解決するために、本発明の第２の形態によれば、マルチビュータッチスクリーンと、前記マルチビュータッチスクリーンに結合されたコントローラと、シートセンサと、前記マルチビュータッチスクリーンの第１のユーザ又は第２のユーザの接近信号を検知するセンサと、を備えたマルチビューディスプレイシステムの操作方法であって、前記シートセンサが、シートに第２のユーザが座っているか否かを検知し、シートに第２のユーザが座っていない場合、第１のユーザをデフォルトユーザに設定し、シートに第２のユーザが座っている場合、判定処理を実施し、前記センサの反対側のユーザをデフォルトユーザに設定するステップと、前記センサにより前記マルチビュータッチスクリーンのユーザの接近信号を検知し、タッチイベントが第１のユーザ又は第２のユーザによるものかを検知するステップと、前記タッチイベントをコマンドへ変換するステップと、前記マルチビューディスプレイシステムが前記コマンドに反応するステップと、を含むことを特徴とするマルチビューディスプレイシステムの操作方法が提供される。
【００１５】
前記センサは、レーザセンサ、可変コンデンサ、超音波センサ、光センサ又は赤外線センサであることが好ましい。
【００１６】
前記マルチビュータッチスクリーンは、静電容量式タッチパネル(Capacitive Touch Panel)又は抵抗式タッチパネル(Resistive Touch Panel)であることが好ましい。
【図面の簡単な説明】
【００１７】
【図１】図１は、本発明の一実施形態に係るマルチビューディスプレイシステムを示すブロック図である。
【図２】図２は、本発明の一実施形態に係るマルチビューディスプレイシステムの外観を示す図である。
【図３Ａ】図３Ａは、本発明の一実施形態に係るセンサの異なる設置位置を示す図である。
【図３Ｂ】図３Ｂは、本発明の一実施形態に係るセンサの異なる設置位置を示す図である。
【図３Ｃ】図３Ｃは、本発明の一実施形態に係るセンサの異なる設置位置を示す図である。
【図４】図４は、本発明の一実施形態に係るマルチビューディスプレイシステムの操作方法を示す流れ図である。
【発明を実施するための形態】
【００１８】
以下、本発明の実施形態について図に基づいて説明する。なお、これによって本発明が限定されるものではない。
【００１９】
図１を参照する。図１は、本発明の一実施形態に係るマルチビューディスプレイシステム１００を示すブロック図である。図１に示すように、本発明の一実施形態に係るマルチビューディスプレイシステム１００は、少なくともマルチビュータッチスクリーン１０、シートセンサ２０、センサ３０及びコントローラ４０から構成される。マルチビュータッチスクリーン１０は、異なる方向からマルチビュータッチスクリーン１０を見るビューアに対しそれぞれ異なる映像を伝送する。例えば、マルチビューディスプレイシステム１００が自動車の車内で使用される場合、第１のユーザは、マルチビュータッチスクリーン１０上で第１の視野角で第１の映像（例えば、ＧＰＳナビゲーション地図）を見ると同時に、第２の視野角に位置する第２のユーザが見ることができるように、マルチビュータッチスクリーン１０に第２の映像（例えば、映画又はＴＶ番組）が表示される。第１のユーザ及び第２のユーザは、彼らのモバイル機器（例えば、スマートフォン、タブレット型パソコンなど）をマルチビューディスプレイシステム１００へ接続し、モバイル機器の画面をマルチビュータッチスクリーン１０上に表示してもよい。
【００２０】
各ユーザがマルチビュータッチスクリーン１０にタッチすると、ユーザに応じてタッチイベント１１が発生する。例えば、ＧＰＳナビゲーション地図を見ている第１のユーザは、マルチビュータッチスクリーン１０の所望のメニューオプション（例えば、住所を入力したり地図を検索したりする）にタッチすることにより、タッチイベント１１が発生する。マルチビュータッチスクリーン１０にタッチすると、第２のユーザが見ている画面にＤＶＤ用アプリケーション又はＴＶ番組がメニューオプション（例えば、映画を一時停止したり音量を下げたりする）が提供され、第２のユーザがマルチビュータッチスクリーン１０の所望のメニューオプションにタッチすることにより別のタッチイベント１１が発生する。
【００２１】
２人のユーザが１つのマルチビュータッチスクリーン１０を使用するとタッチイベント１１が多数発生し、第１のユーザ及び第２のユーザのユーザ信号入力領域が重なることがあり、マルチビューディスプレイシステム１００は、タッチイベント１１が第１のユーザ又は第２のユーザによるものかを識別する必要がある。そのためマルチビューディスプレイシステム１００は、シートに第２のユーザが座っているか否かを検知し、その状態を表す信号を出力するシートセンサ２０と、第１のユーザ又は第２のユーザのマルチビュータッチスクリーン１０の接近信号（マルチビュータッチスクリーン１０に接近したことを表す信号）を検知するセンサ３０と、を含み、コントローラ４０は、マルチビュータッチスクリーン１０、シートセンサ２０及びセンサ３０に接続されて判定処理（ｄｅｔｅｒｍｉｎａｔｉｏｎ  ｐｒｏｃｅｓｓ）を実施し、タッチイベント１１が第１のユーザによるものか第２のユーザによるものかを判定する。
【００２２】
図２を参照する。図２は、本発明の一実施形態に係るマルチビューディスプレイシステムの外観を示す図である。図２に示すように、シートセンサ２０（図示せず）をシートに配設し、シートに第２のユーザ５０が座っているか否かをシートセンサ２０により検出するとともに、シートセンサ２０をマルチビューディスプレイシステム１００へ組み込み、第２のユーザ５０がシートに座っているか否かの情報を得る。第２のユーザ５０のシートに誰も座っていない場合、マルチビュータッチスクリーン１０は第１のユーザ６０により制御されていると判断することができ、判定処理を実施する必要はない。この状態において、第１のユーザ６０は、マルチビューディスプレイシステム１００の所定のデフォルトユーザである。シートセンサ２０がシートに人が座っているか否かを判断する技術は、例えば、シート内に設置されたシートセンサによりシートに人が座っているか否かを検知するなどの技術であり、当業者によく知られた技術である。より詳細には、シートセンサは、シート状を呈してシートクッションの表面とシート内のクッションパッドとの間に挿設される。この技術は、シートに人が座ると、シートセンサに加わった荷重により、シートに人が座ったことを検知することができる。或いは、シートのシートベルトが使用されているか否かによって第２のユーザ５０が座っているかを判断したりしてもよい。
【００２３】
第２のユーザ５０がシートに座ると、判定処理を実施し、センサ３０が反対側のユーザをデフォルトユーザに設定する。この実施形態では、センサ３０がマルチビュータッチスクリーン１０の左側に設置され、デフォルトユーザが第２のユーザ５０にスイッチされた状態下において、非デフォルトユーザ（即ち第１のユーザ６０）がセンサ３０の検知範囲を横切って現ユーザと検知された場合以外、第２のユーザ５０（現在のデフォルトユーザ）がマルチビュータッチスクリーン１０を常に制御する。言い換えると、第１のユーザ６０によりマルチビュータッチスクリーン１０を制御する場合、センサ３０が接近信号を検知して第１のユーザ６０がマルチビュータッチスクリーン１０を制御したい旨をコントローラ４０へ知らせるためには、第１のユーザ６０は、まずセンサ３０の検知範囲を横切る必要がある。センサ３０は、検知範囲に何かが入ったことを検知しない場合、タッチイベント１１が第１のユーザ６０によるものと見なす。
【００２４】
本実施形態における「第１のユーザ」とは、座っている状態が検知されないユーザであり、本発明のシステム中の判定処理が実施されていないときのデフォルトユーザを指す。本実施形態における「第２のユーザ」とは、第２のユーザ５０がシートに座ったことを検知したときに、システムの判定処理を実施し、シートセンサにより検知されたユーザを指す。本実施形態における「デフォルトユーザ」とは、２段階（判定処理の実施の有無）に分けられ、判定処理が実施されないときに、マルチビューディスプレイシステム１００を常に制御するユーザを指す。この段階において、デフォルトユーザとは、シートセンサ２０により検知されないユーザのことである。判定処理が実施されるとき、非デフォルトユーザがセンサ３０の検知範囲を横切って現ユーザと検知される場合を除き、デフォルトユーザは、センサ３０の反対側に位置し、マルチビュータッチスクリーン１０を常に制御するユーザである。
【００２５】
マルチビューディスプレイシステム１００（図２参照）を自動車の車内に応用する場合、第１のユーザ６０は運転手であり、第２のユーザ５０は助手席に座っているユーザであってもよい。シートセンサ２０により助手席にユーザが座っているか否かを判断し、助手席に誰も座っていない場合、判定処理を実施する必要がなく、運転手（シートセンサ２０により検知されない）がデフォルトユーザとして設定され、マルチビュータッチスクリーン１０を常に制御する。助手席に人が座っている場合、判定処理を実施し、この状態下でデフォルトユーザがセンサ３０の反対側にいるユーザ（即ち、助手席に座っている者）に変わる。即ち、全てのタッチイベント１１は助手席に座っているユーザによるものと認識される。もし運転手がマルチビュータッチスクリーン１０を制御する場合、マルチビュータッチスクリーン１０にタッチする必要がある。この動作をセンサ３０が検知すると、システムにより、タッチイベント１１が運転手により入力されたと検知する。この実施形態ではセンサ３０が間違って検知した場合でも、助手席に座っているユーザは、運転手から見える画面を操作することができない。
【００２６】
他の実施形態において、センサ３０は、図３Ａ〜図３Ｃに示すように配置してもよい。図３Ａに示すように、シートセンサ２０（図示せず）はマルチビューディスプレイシステム１００に組み込まれ、シートに座っている第２のユーザ５０の状態を検知し、マルチビュータッチスクリーン１０の右側に設置されたセンサ３０により、マルチビュータッチスクリーン１０の第２のユーザ５０の接近信号を検知する。第２のユーザ５０のシートが空いている場合、判定処理を実施せず、マルチビュータッチスクリーン１０がデフォルトユーザの第１のユーザ６０により主に制御されるように予め設定されている。第２のユーザ５０がシートのシートセンサ２０により検知されると、判定処理を実施し、センサ３０の反対側に位置するユーザをデフォルトユーザに設定する。この実施形態の状態下では、センサ３０の反対側に位置する第１のユーザ６０がデフォルトユーザに設定される。つまりマルチビューディスプレイシステム１００は、デフォルトユーザを同一人物、即ち第１のユーザ６０に保持する。もし第２のユーザ５０がマルチビュータッチスクリーン１０を制御する場合、まずセンサ３０の検知範囲を横切り、現ユーザと検知される。センサ３０の検知範囲に物体が入ったことを検知しない場合、タッチイベント１１が第１のユーザ６０により発生されたと識別される。本発明の他の実施形態では、センサ３０を設置方式にしてもよい。センサ３０が検知する正確度を高めるために、例えば、図３Ｂに示すようにマルチビュータッチスクリーン１０の右下方に設置したり。図３Ｃに示すようにマルチビュータッチスクリーン１０の左下方に設置したりしてもよい。
【００２７】
センサ３０は、第１のユーザ６０又は第２のユーザ５０がマルチビュータッチスクリーン１０に対する接近信号を検知する。センサ３０は、レーザセンサ、可変コンデンサ、超音波センサ、光センサ又は赤外線センサでもよい。上述したセンサの使用例は、例えば、米国特許第７４９８７４９号、米国特許第７４４３１０１号及び米国特許第７３３６０３７号の明細書において開示されている。例えば、センサ３０は、光線を電気信号へ変換し、１つ又は多数のビーム変化を測定する能力を備えた光センサでもよく、ここで変化とは、光線強度の変化を指す。変化が発生すると、光センサを光電トリガとして用い、センサの種類に応じて電気信号の出力を増やしたり減らしたりする。他の実施形態では、センサ３０は、可変コンデンサを含んでもよい。ユーザが接近するときの容量値が変化すると、比較器の一方の入力端に接続され、基準電圧が比較器の他方の入力端に接続される。
【００２８】
当業者であれば分かるように、上述したセンサ３０の説明例の他、他の種類のセンサも本発明の範囲に含まれる。上述した方式に基づき、センサ３０は、インダクタンス、赤外線信号、光信号又はその他類似した信号に基づき、第１のユーザ６０又は第２のユーザ５０のマルチビュータッチスクリーン１０に対する接近信号を検知する。当業者であれば、マルチビューディスプレイシステム１００の設計に基づき、適宜センサを選択することができる。
【００２９】
本実施形態のマルチビューディスプレイシステム１００は、例えば、自動車のインフォテインメントシステム（ｉｎｆｏｔａｉｎｍｅｎｔ  ｓｙｓｔｅｍ）に含まれ、さらに詳細には、インフォテインメントシステムは、自動車のインストルメントパネルの中央に配置されているが、勿論、マルチビューディスプレイシステム１００を飛行機、電車又は消費者用電子製品へ応用してもよい。マルチビュータッチスクリーン１０は、静電容量式タッチパネル(Capacitive Touch Panel)又は抵抗式タッチパネル(Resistive Touch Panel)でもよい上、タッチスクリーンリーダーによりタッチイベントが検知され、マルチビューディスプレイシステム１００は、例えば、第１のユーザ６０及び第２のユーザ５０に対応し、ナビゲーション及び映画の２つのビデオ信号をそれぞれ生成するビデオミキシングユニットをさらに含んでもよい。
【００３０】
図４は、図２の本実施形態に係る操作方法２００を示す流れ図である。図４に示すように、シートセンサは、マルチビュータッチスクリーンの右側のシートにユーザが座っているか否かを検知し、センサがマルチビュータッチスクリーンの左側に設置されている。ステップ２０１において、マルチビューディスプレイシステムを初期化した後、シートセンサにより第２のユーザの有無を検知する。例えば、シートに誰も座っておらず、第２のユーザがいないことを検知すると、第１のユーザをデフォルトユーザに設定し、各タッチイベント（ステップ２０３）が第１のユーザによるものと識別し、次の判定処理（即ち、ステップ２０２において、センサによりユーザがマルチビュータッチスクリーンの接近信号を検知する）を実施せず、シートセンサが第２のユーザを検知すると、判定処理を実施し、センサの反対側に位置するユーザをデフォルトユーザ（即ち、第２のユーザ）に設定する。タッチスクリーンの左側へ取り付けられたセンサは、第１のユーザのマルチビュータッチスクリーンの接近信号を検知し、接近信号の情報をコントローラへ伝送し、コントローラは、タッチイベントがどのユーザによるものかを判断する。第１のユーザがマルチビュータッチスクリーンにタッチイベントを提供する場合（ステップ２０７）、センサの検知範囲を横切る者を現ユーザと判断し（ステップ２０５）、もしセンサの検知範囲が横切られない場合、タッチイベント（ステップ２０４）が第２のユーザによるものと判断する（ステップ２０６）。ユーザがマルチビュータッチスクリーンの接近信号を検知したか否かをセンサにより測定し、タッチイベントがどのユーザによるものかをコントローラにより識別し、タッチイベントをコマンドに変換する。マルチビューディスプレイシステムはコマンドに反応してもよい。
【００３１】
当該分野の技術を熟知するものが理解できるように、本発明の好適な実施形態を前述の通り開示したが、これらは決して本発明を限定するものではない。本発明の主旨と領域を逸脱しない範囲で各種の変更や修正を加えることができる。従って、本発明の特許請求の範囲は、このような変更や修正を含めて広く解釈されるべきである。
【符号の説明】
【００３２】
１０  マルチビュータッチスクリーン
１１  タッチイベント
２０  シートセンサ
３０  センサ
４０  コントローラ
５０  第２のユーザ
６０  第１のユーザ
１００  マルチビューディスプレイシステム
【図１】
2014137813.tif 000003
【図２】
2014137813.tif 000004
【図３Ａ】
2014137813.tif 000005
【図３Ｂ】
2014137813.tif 000006
【図３Ｃ】
2014137813.tif 000007
【図４】
2014137813.tif 000008